(57)【要約】【課題】物品に伝達される衝撃が十分に抑制される構造の段ボール製の包装箱を提供する。【解決手段】包装箱１は、包装される物品ｗを載置する下部受体４と、物品を介して下部受体４と対向する上部受体５と、開閉自在な蓋２と、下部受体４及び上部受体５を格納する箱３とを備える。下部受体４は、下部底板４１と、下部底板４１に連設された第１下部支持板４２と、第１下部支持板４２に連設された第２下部支持板４３とを有する。上部受体５は、上部底板５１と、上部底板５１に連設された第１上部支持板５２と、第１上部支持板５２に連設された第２上部支持板５３とを有する。第１下部支持板４２は第２下部支持板４３に対し弾力的に支持され、第２下部支持板４３は底壁に対し弾力的に支持され、第１上部支持板５２は第２上部支持板５３に対し弾力的に支持され、第２上部支持板５３は蓋２に対し弾力的に支持される。【選択図】図５
2011189969.tif 000002
【特許請求の範囲】
【請求項１】
包装される物品を載置する下部受体と、
前記物品を介して該下部受体と対向する上部受体と、
開閉自在な蓋を有し、前記下部受体及び前記上部受体を格納する箱とを備える段ボール製包装箱において、
前記下部受体は、前記箱に格納された状態で前記箱の底壁と平行に配設されると共に、切り込みによって形成された切り込み部を複数設けた下部底板と、
該下部底板の左右両側の夫々に第１底板折目線を介して連設され前記下部底板に対して下向き内方に折り曲げられた第１下部支持板と、
各第１下部支持板の先端縁に第２底板折目線を介して連設され前記第１下部支持板に対して外方に折り曲げられた第２下部支持板と、
前記各切り込み部の内側に形成された立上り片とを有し、
前記上部受体は、前記物品の上部と当接する上部底板と、
該上部底板の左右両側の夫々に第３底板折目線を介して連設され前記上部底板に対して上向き内方に折り曲げられた第１上部支持板と、
各第１上部支持板の先端縁に第４底板折目線を介して連設され前記第１上部支持板に対して外方に折り曲げられた第２上部支持板と
前記立上り片に対応して前記上部底板に形成された上部挿通穴とを有し、
前記各立上り片は前記物品の外側で対応する前記上部挿通穴に挿通され、
前記下部受体と前記上部受体が前記箱に格納されて、前記第２下部支持板が前記底壁に当接されると共に、前記第１下部支持板と第２下部支持板とにより前記下部受体が弾力的に支持され、
前記第２上部支持板が、前記蓋を閉じる際に前記蓋に当接され、
前記第１上部支持板と前記第２上部支持板とにより前記上部受体が弾力的に支持されることを特徴とする段ボール製の包装箱。
【請求項２】
前記箱は直方体からなり、前記下部底板及び上部底板は該箱の形状に対応した矩形からなることを特徴とする請求項１記載の段ボール製の包装箱。
【請求項３】
前記下部受体及び前記上部受体とは第２上部支持板と第２下部支持板とが交差し若しくは対向することを特徴とする請求項１又は２記載の段ボール製の包装箱。
【発明の詳細な説明】
【技術分野】
【０００１】
本発明は、段ボール製の包装箱に関する。
【背景技術】
【０００２】
従来、緩衝作用を有する包装箱が知られている。包装箱としては、段ボール製シートを折り込み、組み立てた段ボール箱に緩衝作用を有する部材を格納した包装箱が提案されている（特許文献１参照）。
【０００３】
この包装箱は、平板からなる受板の両端を下側内方へ折り曲げて脚板を形成した下側受体と、平板からなる受板の両端を上側内方へ折り曲げて脚板を形成した上側受体とを備え、被包装体を下側受体に載置すると共に、被包装体上に上側受体を載せて構成されている。そして、下側受体の脚部が箱板の底壁に設置され、上側受体の脚部が箱板の蓋に当接されている。そのため、下側受体及び上側受体の脚部と受板との折り曲げによる弾力で被包装体が弾力的に保持され、物品に掛かる衝撃を抑制することができる。
【先行技術文献】
【特許文献】
【０００４】
【特許文献１】特開２００７−１９１２０４号公報
【発明の概要】
【発明が解決しようとする課題】
【０００５】
ところで、特許文献１に記載された包装箱では、下側受体及び上側受体の折り曲げが１箇所であるため、衝撃を十分に抑制することができない場合がある。また、特許文献１に記載された包装箱では、物品の横方向の移動を抑制する構造が設けられていないため、物品が受板上を横方向に移動することについて抑制することができない。そのため、より強い衝撃であっても被包装体に伝達される衝撃を十分に抑制することができ、かつ物品が横方向に移動することを抑制することのできる包装箱が待たれていた。
【０００６】
本発明は、上記の点に鑑み、包装される物品に伝達される衝撃を十分に抑制することができる構造の段ボール製の包装箱を提供することを目的とする。
【課題を解決するための手段】
【０００７】
本発明は、包装される物品を載置する下部受体と、前記物品を介して該下部受体と対向する上部受体と、開閉自在な蓋を有し、前記下部受体及び前記上部受体を格納する箱とを備える段ボール製包装箱において、前記下部受体は、前記箱に格納された状態で前記箱の底壁と平行に配設されると共に、切り込みによって形成された切り込み部を複数設けた下部底板と、該下部底板の左右両側の夫々に第１折目線を介して連設され前記下部底板に対して下向き内方に折り曲げられた第１下部支持板と、各第１下部支持板の先端縁に第２折目線を介して連設され前記第１下部支持板に対して外方に折り曲げられた第２下部支持板と、前記各切り込み部の内側に形成された立上り片とを有している。
【０００８】
また、前記上部受体は、前記物品の上部と当接する上部底板と、該上部底板の左右両側の夫々に第３折目線を介して連設され前記上部底板に対して上向き内方に折り曲げられた第１上部支持板と、各第１上部支持板の先端縁に第４折目線を介して連設され前記第１上部支持板に対して外方に折り曲げられた第２上部支持板と前記立上り片に対応して前記上部底板に形成された挿通穴とを有している。
【０００９】
また、前記各立上り片は前記物品の外側で対応する前記挿通穴に挿通され、前記下部受体と前記上部受体が前記箱に格納されて、前記第２下部支持板が前記底壁に当接されると共に、前記第１下部支持板と前記第２下部支持板とにより前記下部受体が弾力的に支持され、前記第２上部支持板が、前記蓋を閉じる際に前記蓋に当接され、前記第１上部支持板と前記第２上部支持板とにより前記上部受体が弾力的に支持されることを特徴とする。
【００１０】
本発明によれば、下部受体が箱に格納されて、箱の底壁に第２下部支持板が当接されている。この第２下部支持板は底壁に対し弾力的に支持され、第１下部支持板は第２下部支持板に対し弾力的に支持されている。これにより、下部底板と第１下部支持板との連設部分と、第１下部支持板と第２下部支持板との連設部分とがバネ機能を有し、底壁から下部底板に伝達される力が緩衝される。
【００１１】
また、上部受体が箱に格納されて、蓋を閉める際には、蓋に第２上部支持板が当接される。この第２上部支持板は蓋に対し弾力的に支持され、第１上部支持板は第２上部支持板に対し弾力的に支持されている。これにより、上部底板と第１上部支持板との連設部分と、第１上部支持板と第２上部支持板との連設部分とがバネ機能を有し、蓋から上部底板に伝達される力が緩衝される。
【００１２】
また、下部底板に物品が載置された状態で、下部底板に形成された各立上がり片が物品の外側で上部底板に形成された挿通穴に挿通されるため、物品を上部底板と下部底板との間に固定することができると共に、物品に力が伝達されるのを抑制することができる。
【００１３】
また、箱は直方体からなり、前記下部底板及び上部底板は該箱の形状に対応した矩形からなることが好ましい。これにより、底壁から下部底板に伝達される力と蓋から上部底板に伝達される力とを抑制する包装箱の陳列が容易となる。
【００１４】
また、前記下部受体及び前記上部受体とは第２上部支持板と第２下部支持板とが交差し若しくは対向する位置に配置されていてもよい。これにより、上部底板と下部底板との向きを考慮することなく、上部底板と下部底板とを格納することができる。
【図面の簡単な説明】
【００１５】
【図１】第１実施形態のダンボール製の包装箱を示す斜視図。
【図２】第１実施形態の箱体の展開図。
【図３】（ａ）は、第１実施形態の下部受体の展開図、（ｂ）は第１実施形態の上部受体の展開図。
【図４】図１のＩＶ−ＩＶ線に沿った断面図。
【図５】第１実施形態の分解斜視図。
【図６】第２実施形態の分解斜視図。
【図７】（ａ）は、変形例の下部受体の展開図、（ｂ）は変形例の上部受体の展開図。
【発明を実施するための形態】
【００１６】
本発明の第１実施形態を図面に基づいて説明する。図１に示すように、本発明の第１実施形態の包装箱１は、上部に開閉自在な蓋２を有する直方体の箱３と、箱３に格納可能な下部受体４及び上部受体５とを備える。また、箱３は、蓋２と連設される側壁６ａと、側壁６ａの両側と隣接する側壁６ｂと、側壁６ａと対向する側壁６ｃとを有する。箱３と下部受体４と上部受体５は、各々１枚の段ボールシートから形成される。
【００１７】
箱３は、図２に展開して示すように、矩形の底板１０の上下側縁の夫々には、第１折目線ａを介して一対の第１側板１１が連設されている。各第１側板１１の先端縁には、第１ミシン目線ｂを介して一対の第１延在板１２が連設されている。各第１延在板１２の先端縁には、第２ミシン目線ｃを介して一対の第２側板１３が連設されている。各第２側板１３の先端縁には第１突起１４ａ〜１４ｄが２個ずつ設けられている。また、底板１０を板厚方向に貫通する第１挿通穴１５ａ〜１５ｄが各第１折目線ａに沿って２個ずつ形成され、底板１０を板厚方向に貫通する２個の第２挿通穴１６ａ、１６ｂが底板１０の右側縁に設けられた第２折目線ｄに沿って形成されている。
【００１８】
底板１０の右側縁には、第２折目線ｄを介して第３側板２１が連設されている。第３側板２１の先端縁には、第３折目線ｅを介して第２延在板２２が連設されている。第２延在板２２の先端縁には、第４折目線ｆを介して第４側板２３が連設されている。第４側板２３の先端縁には２個の第２突起２４ａ、２４ｂが設けられている。
【００１９】
また、第３側板２１の上下側縁の夫々には、第５折目線ｇを介して一対の第１係合片２５が連設されている。また、第４側板２３の上下側縁の夫々には、第６折目線ｈを介して一対の第２係合片２６が連設されている。また、各第６折目線ｈに沿って第１切り溝２７が設けられている。また、第４側板２３と第２延在板２２とを板厚方向に貫通する第３挿通穴２８が第４折目線ｆに沿って形成されている。
【００２０】
底板１０の左側縁には、第７折目線ｉを介して第５側板３１が連設されている。第５側板３１の先端縁には、第８折目線ｊを介して上板３２が連設されている。上板３２の先端縁には、第９折目線ｋを介して第３係合片３３が連設されている。この上板３２と第３係合片３３が蓋２を構成する。
【００２１】
また、第５側板３１の上下側縁には、第１０折目線ｌを介して一対の第４係合片３４が連設されている。各第４係合片３４の左縁には、半切り線ｍを介して一対の第５係合片３５が連設されている。半切り線とは、カッターによって段ボールシートを厚さ方向の半分程度まで切り込むことによって形成された折り線という。また、各第５係合片３５の縁であって上板３２と対向する縁には、第２切り溝３６が設けられている。
【００２２】
下部受体４は、図３（ａ）に展開して示すように、矩形の下部底板４１の左右側縁には、第１底板折目線である第１１折目線ｎを介して一対の第１下部支持板４２が連設されている。各第１下部支持板４２の先端縁には、第２底板折目線である第３ミシン目線ｏを介して一対の第２下部支持板４３が連設されている。
【００２３】
下部底板４１には切り込みによって形成された切り込み部４４が下部底板４１の対角線に沿って４箇所形成され、この切り込み部４４は下部底板４１の中央部から周側へコ字形に形成されている。各切り込み部４４の内側には、切り込みのない端部を基端部４５ａとして上向きに立設可能な立上がり片４５が形成されている。立上がり片４５の基端部４５ａは、２点鎖線Ｐで示す物品Ｗの外周上に沿って形成されている。
【００２４】
上部受体５は、図３（ｂ）に展開して示すように、矩形の上部底板５１の左右側縁には、第３底板折目線である第１２折目線ｑを介して一対の第１上部支持板５２が連設されている。各第１上部支持板５２の先端縁には、第４底板折目線である第４ミシン目線ｒを介して一対の第２上部支持板５３が連設されている。
【００２５】
上部底板５１には、下部底板４１に形成された立上がり片４５に対応した上部挿通穴である第４挿通穴５４が上部底板５１の対角線に沿って形成されている。本実施形態の下部受体４と上部受体５では、中芯が第１１折目線ｎ及び第３ミシン目線ｏと平行に設けられている。
【００２６】
次に、箱３の組み立てについて説明する。各第１折目線ａと各第１ミシン目線ｂと各第２ミシン目線ｃとは同一方向に折り曲げられ、第１係合片２５と第４係合片３４と第５係合片３５とが第１側板１１と第２側板１３とに挟まれる。各第２側板１３に設けられた第１突起１４ａ〜１４ｄは、対応する第１挿通穴１５ａ〜１５ｄに挿通されて、各第１突起１４ａ〜１４ｄと第１挿通穴１５ａ〜１５ｄとが係合されることにより、一対の側壁６ｂが形成される。
【００２７】
また、第２折目線ｄが折り曲げられて、第４側板２３に設けられた第２突起２４ａ、２４ｂが対応する第２挿通穴１６ａ、１６ｂに挿通されて、各第２突起２４ａ、２４ｂと第２挿通穴１６ａ、１６ｂとが係合されることにより、側壁６ｃが形成される。この側壁６ｃと対向する側壁６ａは、第７折目線ｉを介して第５側板３１を折り曲げることにより形成される。また、底板１０が底壁に該当する。
【００２８】
下部受体４は、図３（ａ）に示す一枚の段ボールシートから第１１折目線ｎを折り曲げて一対の第１下部支持板４２を下部底板４１に対して下向き内方に折り曲げると共に、第３ミシン目線ｏを折り曲げて一対の第２下部支持板４３を第１下部支持板４２に対して外方に折り曲げて形成される。また、４つの立上がり片４５は、切り込みのない端部を基端部４５ａとして上向きに立設される。
【００２９】
上部受体５は、図３（ｂ）に示す一枚の段ボールシートから第１２折目線ｑを折り曲げて一対の第１上部支持板５２を上部底板５１に対して上向き内方に折り曲げると共に、第４ミシン目線ｒを折り曲げて一対の第２上部支持板５３を第１上部支持板５２に対して外方に折り曲げて形成される。
【００３０】
箱３に下部受体４と物品Ｗと上部受体５とを格納するときには、先ず図４と図５に示すように、下部受体４の下部底板４１に物品Ｗが載置され、この物品Ｗを介して下部受体４と対向する上部受体５が物品Ｗの上部に載置され、上部底板５１が物品Ｗの上部と当接する。
【００３１】
次いで、下部受体４の立上がり片４５が上部受体５の上部底板５１に形成された第４挿通穴５４に挿通される。第４挿通穴５４に挿通されている４つの立上がり片４５は、物品Ｗの外側に形成されている。本実施形態では、下部受体４の第２下部支持板４３と上部受体５の第２上部支持板５３とは互いに対向するように組みつけられている。
【００３２】
物品Ｗの外側で各立上がり片４５が挿通されている状態で、下部受体４と物品Ｗと上部受体５とが箱３に格納される。このとき、第２下部支持板４３は底板１０に当接され、下部受体４の下部底板４１が底板１０に平行となるように、下部受体４が底板１０に配設される。また、第１実施形態では、第２下部支持板４３と第２上部支持板５３は側壁６ｂと平行となるよう箱３に挿入される。その後、第３係合片３３が第３挿通穴２８に挿通されて、第３係合片３３と第３挿通穴２８とが係合されることで、蓋２が閉まる。蓋２が閉まることにより、第２上部支持板５３が蓋２と当接する。
【００３３】
次に、本発明の第２実施形態を図６に基づいて説明する。なお、第２実施形態の箱３と下部受体４と上部受体５は第１実施形態と同一の構成であり、第２下部支持板４３と第２上部支持板５３との向きが第１実施形態と第２実施形態とで異なるため、第１実施形態と同じ構成要素には同じ符号を付してその説明を省略する。
【００３４】
箱３に下部受体４と物品Ｗと上部受体５とを格納するときには、図６に示すように、下部受体４の第２下部支持板４３と上部受体５の第２上部支持板５３とは互いに交差するように組みつけられている。
【００３５】
そして、物品Ｗの外側で各立上がり片４５が挿通されている状態で、下部受体４と物品Ｗと上部受体５とが箱３に格納される。このとき、第２下部支持板４３は側壁６ｂと平行となるよう箱３に挿入され、第２上部支持板５３は側壁６ｂと垂直となるよう箱３に挿入される。その後、上板３２が閉まることにより、包装が完了する。
【００３６】
こうして、下部受体４と上部受体５とが箱に格納されたときに、底板１０に対して第２下部支持板４３が弾力的に支持されると共に、第１下部支持板４２が第２下部支持板４３に対し弾力的に支持されている。そのため、下部底板４１と第１下部支持板４２との連設部分と、第１下部支持板４２と第２下部支持板４３との連設部分とがバネ機能を有し、底板１０から下部底板４１に伝達される力が緩衝される。
【００３７】
また、下部受体４と上部受体５とが箱３に格納されて、上板３２が閉じられたときに、上板３２に対して第２上部支持板５３が弾力的に支持されると共に、第１上部支持板５２が第２上部支持板５３に対し弾力的に支持されている。そのため、上部底板５１と第１上部支持板５２との連設部分と、第１上部支持板５２と第２上部支持板５３との連設部分とがバネ機能を有し、上板３２から上部底板５１に伝達される力が緩衝される。
【００３８】
さらに、下部底板４１に物品Ｗが載置された状態で、下部底板４１に形成された各立上がり片４５が物品Ｗの外側で上部底板５１に形成された第４挿通穴５４に挿通されている。そのため、物品Ｗを上部底板５１と下部底板４１との間に固定することができると共に、物品Ｗに力が伝達されるのを抑制することができる。
【００３９】
なお、下部底板４１と上部底板５１を箱３に挿入する際の第２下部支持板４３と第２上部支持板５３の向きは、第１実施形態と第２実施形態とに示されるものに限られず、いずれの向きでもよい。例えば、第２下部支持板４３と第２上部支持板５３とは互いに対向しかつ側壁６ｃと平行になるように挿入されてもよい。また、第２下部支持板４３と第２上部支持板５３とは互いに交差しかつ第２下部支持板４３は側壁６ｂと垂直となり、第２上部支持板５３は側壁６ｂと平行となるよう箱３に挿入されてもよい。
【００４０】
また、上記の実施形態においては、上部底板５１と下部底板４１との中芯が第１１折目線ｎ及び第３ミシン目線ｏと平行に設けられている形態について説明したが、この中芯は第１１折目線ｎ及び第３ミシン目線ｏと垂直に設けられているものであってもよい。
【００４１】
以上のように、この発明に係る段ボール製の包装箱によれば、第２下部支持板は底壁に対し弾力的に支持され、第１下部支持板は第２下部支持板に対し弾力的に支持されている。また、第２上部支持板は蓋に対し弾力的に支持され、第１上部支持板は第２上部支持板に対し弾力的に支持されている。そのため、下部底板と第１下部支持板との連設部分と、第１下部支持板と第２下部支持板との連設部分と、上部底板と第１上部支持板との連設部分と、第１上部支持板と第２上部支持板との連設部分とがバネ機能を有し、物品に伝達される力が緩衝される。
【符号の説明】
【００４２】
１…包装箱、２…蓋、３…箱、４…下部受体、５…上部受体、１０…底壁（底板）、４１…下部底板、４２…第１下部支持板、４３…第２下部支持板、４４…切り込み部、４５…立上り片、５１…上部底板、５２…第１上部支持板、５３…第２上部支持板、５４…上部挿通穴（第４挿通穴）、ｎ…第１底板折目線（第１１折目線）、ｏ…第２底板折目線（第３ミシン目線）、ｑ…第３底板折目線（第１２折目線）、ｒ…第４底板折目線（第４ミシン目線）、Ｗ…物品。
【図１】
2011189969.tif 000003
【図２】
2011189969.tif 000004
【図３】
2011189969.tif 000005
【図４】
2011189969.tif 000006
【図５】
2011189969.tif 000007
【図６】
2011189969.tif 000008
【図７】
2011189969.tif 000009